(57)【要約】【課題】  熱処理後のコード強度の低下が少なく、エチレン−プロピレン系ゴムと繊維との良好な接着力を有する接着用ラテックス組成物の提供。【解決手段】  脂肪族共役ジエン系単量体５０〜８０重量％、ビニルピリジン系単量体５〜３０重量％およびこれらと共重合可能な他の単量体０〜４５重量％を乳化重合して得られる共重合体ラテックス（Ａ）１０〜９０重量部（固形分換算）とポリイソプレンラテックス（Ｂ）１０〜９０重量部（固形分換算）からなる（但し、共重合体ラテックス（Ａ）とポリイソプレンラテックス（Ｂ）の合計は１００重量部）エチレン−プロピレン系ゴムと繊維の接着剤用ラテックス組成物。【選択図】なし【特許請求の範囲】
【請求項１】
脂肪族共役ジエン系単量体５０〜８０重量％、ビニルピリジン系単量体５〜３０重量％およびこれらと共重合可能な他の単量体０〜４５重量％を乳化重合して得られる共重合体ラテックス（Ａ）１０〜９０重量部（固形分換算）とポリイソプレンラテックス（Ｂ）１０〜９０重量部（固形分換算）からなる（但し、共重合体ラテックス（Ａ）とポリイソプレンラテックス（Ｂ）の合計は１００重量部）ことを特徴とするエチレン−プロピレン系ゴムと繊維の接着剤用ラテックス組成物。
【発明の詳細な説明】
【技術分野】
【０００１】
本発明は、ゴムと繊維の接着剤用ラテックス組成物に関するものである。さらに詳しくは、タイヤ、ベルト、ホース等のゴム製品に含まれる繊維とエチレン−プロピレン系ゴムの接着に適した改良されたエチレン−プロピレン系ゴムと繊維の接着剤用ラテックス組成物に関するものである。
【背景技術】
【０００２】
ナイロン、ポリエステル、アラミド等の繊維は、従来よりゴム補強用繊維として、タイヤ、ベルト、ホース等のゴム製品に広く用いられている。
ゴム補強用に用いられるこれらの繊維は、それ自身ではゴムに対する接着性に乏しく、ビニルピリジン−ブタジエン系共重合体ラテックス単独またはそれと他のゴムラテックスとの混合物およびレゾルシン−ホルマリン樹脂（以下、ＲＦレジンと称する。）からなる接着剤組成物（以下、ＲＦＬと称する。）を用いて接着処理され、実用に供されているのが一般的である。
また、このＲＦＬに使用されるビニルピリジン−ブタジエン系共重合体ラテックスとしては、２−ビニルピリジン１５重量％、１，３−ブタジエン７０重量％、スチレン１５重量％を乳化重合して得られる共重合体ラテックスが一般的である。
【０００３】
これらいずれの繊維においても、ゴムとの良好な接着力を得ようとする場合、繊維をＲＦＬに浸漬、乾燥後、ナイロン繊維で１７０℃以上、ポリエステル繊維やアラミド繊維では２２０℃以上の高温にて、熱処理する必要があるが、この工程において、処理前に持っていた繊維自身の強度が低下するという問題がある。
また、繊維の強度低下を最小限にとどめようとして、比較的低温にて熱処理すればゴムとの接着力が低下し、逆により高いゴムとの接着力を得ようと、より高温で熱処理すれば繊維の強度が低下する。このため、熱処理後の繊維の強度低下が少なく、かつ高い接着力が得られる接着剤用共重合体ラテックスの開発が望まれていた。
【０００４】
このため、ＲＦＬに用いられるビニルピリジン−ブタジエン系共重合体ラテックスについて改良検討が行われており、特公平１−４９３０８号公報（特許文献１）、特公平１−４９３０９号公報（特許文献２）、特公平２−２４３１４号公報（特許文献３）、特開平１１−１５８２８９（特許文献４）では、特定の単量体組成や構造を有する共重合体粒子からなる共重合体ラテックス、さらには特開２００５−７５９２０（特許文献５）、特開２００５−７５９２１（特許文献６）では、ＥＰゴムやＥＰＤＭ等のエチレン−プロピレン系ゴム用の接着剤用ラテックスとして特定の２種類の共重合体ラテックスが特定の割合で混合して得られた共重合体ラテックスなどが提案されている。しかしながら、特にＥＰゴムやＥＰＤＭ等のエチレン−プロピレン系ゴムに対しては更なる改良が望まれている。
【特許文献１】特公平１−４９３０８号公報
【特許文献２】特公平１−４９３０９号公報
【特許文献３】特公平２−２４３１４号公報
【特許文献４】特開平１１−１５８２８９号公報
【特許文献５】特開２００５−７５９２０号公報
【特許文献６】特開２００５−７５９２１号公報
【発明の開示】
【発明が解決しようとする課題】
【０００５】
本発明は、上記問題を解決するもので、熱処理後のコード強度の低下が少なく、エチレン−プロピレン系ゴムと繊維との良好な接着力を有する接着剤用ラテックス組成物を提供することを目的とするものである。
【課題を解決するための手段】
【０００６】
脂肪族共役ジエン系単量体５０〜８０重量％、ビニルピリジン系単量体５〜３０重量％およびこれらと共重合可能な他の単量体０〜４５重量％を乳化重合して得られる共重合体ラテックス（Ａ）１０〜９０重量部（固形分換算）とポリイソプレンラテックス（Ｂ）１０〜９０重量部（固形分換算）からなる（但し、共重合体ラテックス（Ａ）とポリイソプレンラテックス（Ｂ）の合計は１００重量部）ことを特徴とするエチレン−プロピレン系ゴムと繊維の接着剤用ラテックス組成物を提供するものである。
【発明の効果】
【０００７】
本発明の接着剤用ラテックス組成物は、熱処理後のコードの強度低下が少なく、かつエチレン−プロピレン系と繊維との間に良好な接着力を与える。
【発明を実施するための最良の形態】
【０００８】
以下に本発明について詳しく説明する。
【０００９】
本発明の共重合体ラテックス（Ａ）に使用される脂肪族共役ジエン系単量体としては、例えば１，３−ブタジエン、２−メチル−１，３−ブタジエン、２，３−ジメチル−１，３−ブタジエン等が挙げられ、これらを１種もしくは２種以上使用することができる。特に１，３−ブタジエンが好ましい。
【００１０】
共重合体ラテックス（Ａ）に用いられる脂肪族共役ジエン系単量体が５０重量％未満では初期接着力が低下し、８０重量％を越えるとコード強度および耐熱接着力が低下する。好ましくは、６０〜７５重量％である。
【００１１】
本発明の共重合体ラテックス（Ａ）に使用されるビニルピリジン系単量体としては、２−ビニルピリジン、３−ビニルピリジン、４−ビニルピリジン、２−メチル−５−ビニルピリジン等があげられ、これらを１種もしくは２種以上使用することができる。特に２−ビニルピリジンが好ましい。
【００１２】
共重合体ラテックス（Ａ）に用いられるビニルピリジン系単量体が５重量％未満では初期接着力、耐熱接着力ともに低下する。３０重量％を越えると初期接着力が低下する。好ましくは５〜２５重量％、更に好ましくは１０〜２０重量％である。
【００１３】
本発明の共重合体ラテックス（Ａ）に使用することのできる共重合可能な他の単量体としては、スチレン、α−メチルスチレン、モノクロロスチレン等の芳香族ビニル系単量体、アクリロニトリル、メタクリロニトリル等のシアン化ビニル系単量体、メチル（メタ）アクリレート、エチル（メタ）アクリレート、２−エチルヘキシルアクリレート等のエチレン系不飽和カルボン酸アルキルエステル系単量体、β−ヒドロキシエチルアクリレート、β−ヒドロキシエチルメタクリレート等のヒドロキシアルキル基を含有する不飽和単量体、アクリルアミド、メタクリルアミド等の不飽和カルボン酸アミド系単量体およびアクリル酸、メタクリル酸、イタコン酸、フマル酸等のエチレン系不飽和カルボン酸単量体等が挙げられ、それぞれ１種もしくは２種以上使用することができる。特に、スチレンやアクリロニトリルが好ましい。
【００１４】
共重合体ラテックス（Ａ）に用いられる単量体のうち、共重合可能な他の単量体が、４５重量％を超えると初期接着力が低下する。好ましくは５〜３５重量％、更に好ましくは１０〜３０重量％である。
【００１５】
本発明にて使用されるポリイソプレンラテックス（Ｂ）としては特に制限はないが、例えばイソプレンを乳化重合することにより製造する方法、また溶液重合にて製造した後、乳化剤と水とを加えて乳化後、溶剤を除去して製造する方法等により得ることができる。また、ポリイソプレンラテックスとしては市販のものを使用することも可能であり、例えばセポレックスＩＲ−１００Ｋ（住友精化株式会社製）が挙げられるが、これに限定されるものではない。
【００１６】
本発明における共重合体ラテックス（Ａ）とポリイソプレンラテックス（Ｂ）の重量比（固形分換算）は共重合体ラテックス（Ａ）／ポリイソプレンラテックス（Ｂ）＝１０〜９０／９０〜１０（ただし、共重合体ラテックス（Ａ）とポリイソプレンラテックス（Ｂ）の合計は１００重量部）である。この範囲外ではコード強度、初期接着力および耐熱接着力の改善効果が小さい。好ましくは２０〜８０／２０〜８０、更に好ましくは３０〜７０／３０〜７０である。
【００１７】
本発明の共重合体ラテックス（Ａ）は、公知の乳化重合法で製造することができる。また、重合に際し共重合体ラテックス（Ａ）に用いられる単量体の添加方法に特に制限はなく、一括添加方法、分割添加方法、連続添加方法等いずれも採用できる。
【００１８】
本発明にて用いられる共重合体ラテックス（Ａ）の重合に際しては、乳化剤として、ロジン酸石鹸、脂肪酸石鹸、高級アルコールの硫酸エステル塩、アルキルベンゼンスルホン酸塩、アルキルジフェニルエーテルスルホン酸塩、脂肪族スルホン酸塩、脂肪族カルボン酸塩、非イオン性界面活性剤の硫酸エステル塩等のアニオン性界面活性剤あるいはポリエチレングリコールのアルキルエステル型、アルキルフェニルエーテル型、アルキルエーテル型等のノニオン性界面活性剤が挙げられ、これらを１種又は２種以上使用することができる。
【００１９】
また、本発明の乳化重合法においては、従来公知の連鎖移動剤、重合開始剤、電解質、重合促進剤、キレート剤等、さらには炭化水素系溶剤を使用することができる。
【００２０】
連鎖移動剤としてはｎ−ヘキシルメルカプタン、ｎ−オクチルメルカプタン、ｔ−オクチルメルカプタン、ｎ−ドデシルメルカプタン、ｔ−ドデシルメルカプタン、ｎ−ステアリルメルカプタン等のアルキルメルカプタン、ジメチルキサントゲンジサルファイド、ジイソプロピルキサントゲンジサルファイド等のキサントゲン化合物、テトラメチルチウラムジスルフィド、テトラエチルチウラムジスルフィド、テトラメチルチウラムモノスルフィド等のチウラム系化合物、２，６−ジ−ｔ−ブチル−４−メチルフェノール、スチレン化フェノール等のフェノール系化合物、アリルアルコール等のアリル化合物、ジクロルメタン、ジブロモメタン、四臭化炭素等のハロゲン化炭化水素化合物、α−ベンジルオキシスチレン、α−ベンジルオキシアクリロニトリル、α−ベンジルオキシアクリルアミド等のビニルエーテル、トリフェニルエタン、ペンタフェニルエタン、アクロレイン、メタアクロレイン、チオグリコール酸、チオリンゴ酸、２−エチルヘキシルチオグリコレート、α−メチルスチレン、ターピノレン等が挙げられ、これらを１種または２種以上使用することができる。
これらの連鎖移動剤は、通常、単量体１００重量部に対して０〜１０重量部にて使用される。
【００２１】
重合開始剤としては、過硫酸カリウム、過硫酸ナトリウム、過硫酸アンモニウム等の水溶性重合開始剤、レドックス系重合開始剤、過酸化ベンゾイル等の油溶性重合開始剤を適宜用いることができる。特に水溶性重合開始剤の使用が好ましい。
【００２２】
また、重合に際して、ペンタン、ヘキサン、ヘプタン、オクタン、シクロヘキサン、シクロヘプタン等の飽和炭化水素、ペンテン、ヘキセン、ヘプテン、シクロペンテン、シクロヘキセン、シクロヘプテン、４−メチルシクロヘキセン、１−メチルシクロヘキセン等の不飽和炭化水素、ベンゼン、トルエン、キシレン等の芳香族炭化水素などの炭化水素化合物を使用してもよい。
【００２３】
本発明の共重合体ラテックス（Ａ）とポリイソプレンラテックス（Ｂ）の混合物は、エチレン−プロピレン系ゴムと繊維の接着剤用ラテックス組成物として、例えばレゾルシン−ホルマリン樹脂と混合することによりエチレン−プロピレン系ゴムと繊維の接着剤組成物が得られる。通常、該ラテックス組成物１００重量部（固形分）に対してレゾルシン−ホルマリン樹脂を５〜１００重量部（固形分）を使用することが好ましい。
【００２４】
また、この接着剤組成物には、イソシアネート、ブロックドイソシアネート、エチレン尿素、２，６−ビス（２，４−ジヒドロキシフェニルメチル）−４−クロロフェノール、一塩化イオウとレゾルシンの縮合物及びレゾルシン−ホルマリン縮合物との混合物などの変性レゾルシン−ホルマリン樹脂、ポリエポキシド、変性ポリ塩化ビニル、カーボンブラックといった接着助剤、充填剤、架橋剤、加硫剤、加硫促進剤等を必要に応じて配合しても差し支えない。
【００２５】
本発明にて対象とする繊維としては、ナイロン繊維、ポリエステル繊維、アラミド繊維等が挙げられるが、特にこれらに限定されず、また、これらの繊維はコード、ケーブル、織物、帆布、短繊維等いずれの形態であっても良い。
【００２６】
また、この接着剤組成物で処理された繊維と接着に供されるゴムは、ＥＰゴム、ＥＰＤＭゴム等のエチレン−プロピレン系ゴムであるが、必要に応じてＣＳＭゴム、天然ゴム、ＳＢＲ、ＮＢＲ、クロロプレンゴム、ポリブタジエンゴム、ポリイソプレンゴム、更にはそれらの各種変性ゴム等と混合することもできる。
【００２７】
また、本発明の共重合体ラテックス（Ａ）とポリイソプレンラテックス（Ｂ）からなる接着用ラテックス組成物の一部を必要に応じて、スチレン−ブタジエン共重合体ラテックス、カルボキシ変性スチレン−ブタジエン共重合体ラテックス、アクリルニトリル−ブタジエン共重合体ラテックス、カルボキシ変性アクリルニトリル−ブタジエン共重合体ラテックス、ポリブタジエンラテックス、クロロプレンラテックス、ＥＰＤＭラテックス、ＣＳＭラテックス等に代替してもよいが、その使用量は全ラテックス組成物の固形分のうち５０重量％未満であることが好ましく、更に好ましくは３０重量％未満である。
【実施例】
【００２８】
以下に、実施例をあげて本発明を具体的に説明するが、本発明はこれら実施例により何ら制限されるものではない。なお、実施例中の部および％は断りのない限り全て重量部および重量％を意味する。
【００２９】
共重合体ラテックス  Ａ−１の製造
攪拌機付きオートクレーブに、水１３０部、ナフタレンスルホン酸ナトリウム・ホルマリン縮合物１部、水酸化ナトリウム０．５部とロジン酸カリウム４部を加え溶解させる。次に、１,３−ブタジエン７５.０部、２−ビニルピリジン１０．０部、スチレン１５．０部とｔ−ドデシルメルカプタン０．６部を仕込み、乳化させる。次いで、過硫酸カリウム０．５部を加え、全体を５０℃に保ち重合を行い、重合転化率が全単量体の９５％に達したら、ハイドロキノン０．１部を加え、重合を停止させる。得られた共重合体ラテックスは減圧蒸留により未反応単量体を除去し、共重合体ラテックスＡ−１を得た。
【００３０】
共重合体ラテックス  Ａ−２〜Ａ−４、Ａ−６〜Ａ−８の製造
表１に示した単量体（部）を用いた以外は共重合体ラテックスＡ−１と全く同様にして、共重合体ラテックスＡ−２〜Ａ−４、Ａ−６〜Ａ−８を得た。
【００３１】
共重合体ラテックス  Ａ−５の製造
攪拌機付きオートクレーブに、水１７０部、水酸化ナトリウム０．１部とロジン酸ナトリウム２．０部を加え溶解させる。次に、１,３−ブタジエン１００部とｔ−ドデシルメルカプタン２．０部を仕込み、乳化させる。次いで、過硫酸カリウム０．３部を加え、全体を７０℃に保ち重合を行い、重合転化率が全単量体の５０％に達したら水１０部とロジン酸カリウム１部を溶解したものを３時間かけて連続添加し、重合転化率が全単量体の９５％に達したら、重合を停止させる。得られた共重合体ラテックスは減圧蒸留により未反応単量体を除去し、共重合体ラテックスＡ−５を得た。
【００３２】
【表１】
2007186585.tif 000002
【００３３】
応用例−１
（ＲＦＬ液の調整）
水３２０部に１０％水酸化ナトリウム１３部を添加し攪拌後、レゾルシン１６．６部および３７％ホルマリン１４．６部を加え攪拌混合して、２５℃にて２時間熟成を行い、ＲＦレジンを作成する。
次いで、共重合体ラテックス（Ａ）とポリイソプレンラテックス（Ｂ）「セポレックスＩＲ−１００Ｋ（住友精化株式会社製）を使用」を表２に示した比率（固形分）で混合したラテックス組成物それぞれ１００部（固形分）の中に、得られたＲＦレジン全量と固形分濃度が１４．７％になるように水を添加し撹拌混合後、２５℃にて２４時間熟成させる。
その後、２０％Ｐ−クロロフェノール、ホルムアルデヒド、レゾルシノールの縮合物のアンモニア溶液（ナガセ化成工業社製：デナボンド）を２７５部添加し撹拌混合後、固形分濃度が５％になるように水を添加し、撹拌混合してＲＦＬ液ａ−１〜ａ−１２を得た。
【００３４】
【表２】
2007186585.tif 000003
【００３５】
（タイヤコード浸漬処理、コード強力および接着力測定）
試験用シングルコードディッピングマシンを用いて、得られたＲＦＬ液にて各々、６−６ナイロンタイヤコード（１８９０Ｄ／２）を浸漬処理し、１２０℃で１２０秒間乾燥したのち、２２０℃で６０秒間、焼き付けを行った。
浸漬処理された各々のタイヤコードをＪＩＳ−Ｌ１０１７に従いコード強力を測定した。結果を表２に示す。
また、浸漬処理したコードを５ｍｍ間隔に６本並べ、表３に示す配合の未加硫状態のゴム組成物に埋め込み、１２０Ｎ／ｃｍ２  のプレス圧力下で１６０℃×２０分間加硫し、試験片を作成した。得られた試験片からコードを掘り起こし、５０ｍｍ／分の速度でコードとゴムを剥離するに要した力を測定しこれを初期接着力とした。
結果を表２に示す。
【００３６】
【表３】
2007186585.tif 000004
【００３７】
応用例−２
応用例−１と同様にしてＲＦＬ液ａ−１〜ａ−１２を得た。
（タイヤコード浸漬処理、コード強力および接着力測定）
試験用シングルコードディッピングマシンを用いて、得られたＲＦＬ液にて各々、ポリエステルタイヤコード（前処理糸１５００Ｄ／２）を浸漬処理し、１２０℃で１２０秒間乾燥したのち、２４５℃で６０秒間、焼き付けを行った。
浸漬処理された各々のタイヤコードをＪＩＳ−Ｌ１０１７に従いコード強力を測定した。結果を表４に示す。
また、浸漬処理したコードを５ｍｍ間隔に６本並べ、表３に示す配合の未加硫状態のゴム組成物に埋め込み、１２０Ｎ／ｃｍ２  のプレス圧力下で１６０℃×２０分間加硫し、初期接着力試験用の試験片を作成した。また、１２０Ｎ／ｃｍ２  のプレス圧力下で１６０℃×５０分間加硫し、耐熱接着力の試験片を作成した。
得られた試験片からコードを掘り起こし、５０ｍｍ／分の速度でコードとゴムを剥離するに要した力を測定し、これを初期接着力及び耐熱接着力とした。
結果を表４に示す。
【００３８】
【表４】
2007186585.tif 000005
【産業上の利用可能性】
【００３９】
本発明は、タイヤ、ベルト、ホース等のゴム製品に含まれる繊維とエチレン−プロピレン系ゴムゴムの接着に適した改良されたゴムと繊維の接着剤用ラテックス組成物を提供することができ、工業的に有用である。